(57)【要約】【課題】  食材に対し電磁波の影響を直接与えることなくスチーム機能を発揮させることにより、電子レンジ使用のスチーム炊飯器やスチーム蒸し器を提供し、炊飯のみならず、温野菜，茶碗蒸し，蒸しパン，ふかし芋，ゆで卵，焼売，餃子など、その食材の特性を失うことなく確実に調理することを目的とする。【解決手段】  周面部２とこれにつづく底段部３と底面部４と周縁部１１左右側の突出板５，５とこれに枢着する留め子６，６から成る鍋器体１と、底面部７’に多数の通孔８・・を設けた炊飯器体７と、該炊飯器体の上面部に被套する蒸気抜き孔１９を設けた内蓋体１６と、該内蓋体の蒸気抜き孔に通ずる蒸気抜き孔２７を設けた把手２５付きの外蓋体２２とから成る。また、前記炊飯器体内部に周面部及び底面部に多数の通孔１３，１４を設けるとともに指掛部１５，１５付きの蒸し器体１２を収容する。また、前記鍋器体内部に指掛部付きの椀器体を収容する。【選択図】    図１
2011255158.tif 000002
【特許請求の範囲】
【請求項１】
周面部とこれにつづく底段部と底面部と周縁部左右両側の突出部とこれに枢着する留め子から成る鍋器体と、底面部に多数の通孔を設けた炊飯器体と、この炊飯器体の上面部に被套する蒸気抜き孔を設けた内蓋体と、この内蓋体の蒸気抜き孔に通ずる蒸気抜き孔を設けた把手付きの外蓋体とから成ることを特徴とする電子レンジ用調理器。
【請求項２】
炊飯器体内部に，周面部及び底面部に多数の通孔を設けるとともに適所に指掛部を設けた蒸し器体を収容できる請求項１に記載した電子レンジ用調理器。
【請求項３】
周面部とこれにつづく底段部と底面部と周縁部左右両側の突出部とこれに枢着する留め子から成る鍋器体と、適所に指掛部を設けた椀器体と、この椀器体の上面部に被套する蒸気抜き孔を設けた内蓋体と、この内蓋体の蒸気抜き孔に通ずる蒸気抜き孔を設けた把手付きの外蓋体とから成ることを特徴とする電子レンジ用調理器。
【請求項４】
鍋器体と外蓋体と蒸し器体と椀器体とは合成樹脂材により、炊飯器体と内蓋体とはアルミニウム材により構成する請求項１又は請求項２又は請求項３に記載した電子レンジ用調理器。
【発明の詳細な説明】
【技術分野】
【０００１】
本発明は、電子レンジにおいて、炊飯，粥，赤飯，蒸し物などの諸調理を行うことができる調理器に関するものである。
【背景技術】
【０００２】
近年、電子レンジの普及にともない各種の調理器が改良普及しているが、比較的少分量の米飯炊きや温野菜，ふかし，ゆで卵，餃子，焼売などの蒸し器が要求される中で、次に挙げる製品が公知となっている。
【先行技術文献】
【特許文献】
【０００３】
【特許文献１】実公平４−２３４５１号公報
【特許文献２】実公平７−１９３８４号公報
【特許文献３】登録実用新案第３１２７９８５号公報
【０００４】
しかしながら、これらの調理器にあっては、電子レンジによる電磁波の影響を受け、食材が含有する水分が加熱によって発散することから食材が乾燥硬化し、例えば、ふかし芋は時間の経過とともに硬化が進み食用には不適合となり、また焼売では冷却とともに縮小硬化するからこれも食用にならないなど、電子レンジを使用する調理器は、食材によっては不適当な実用性のない欠点のあるものとなっていた。
【発明の概要】
【発明が解決しようとする課題】
【０００５】
そこで、本発明にあっては、食材に対し電磁波の影響を直接与えることなくスチーム機能を発揮させることにより、電子レンジ使用のスチーム炊飯器やスチーム蒸し器を提供し、これによって炊飯のみならず、温野菜，茶碗蒸し，蒸しパン，ふかし芋，ゆで卵，焼売，餃子などを、その食材の特性を失うことなく確実に調理することができるようにすることを目的とするものである。
【課題を解決するための手段】
【０００６】
本発明は、周面部とこれにつづく底段部と底面部と周縁部左右側の突出板とこれに枢着する留め子から成る鍋器体と、底面部に多数の通孔を設けた炊飯器体と、この炊飯器体の上面部に被套する蒸気抜き孔を設けた内蓋体と、この内蓋体の蒸気抜き孔に通ずる蒸気抜き孔を設けた把手付きの外蓋体とから成るものである。
【０００７】
また、用途によっては、前記炊飯器体内部に周面部及び底面部に多数の通孔を設けるとともに指掛部付きの蒸し器体を収容して使用するものである。
【０００８】
また、用途によっては、炊飯器体と蒸し器体とに代えて指掛部付きの椀器体を鍋器体内部に収容して使用するものである。
【発明の効果】
【０００９】
本発明の調理器は、洗浄米を収容した炊飯器体を鍋器体内に収容し、これに適量の水を鍋器体及び炊飯器体内に供給し、内蓋体及び外蓋体を被套した後、この全体を電子レンジ内に載置してスイッチを入れる。すると、電磁波は鍋器体及び炊飯器体内部に供給された水を加熱し、この炊飯器体内部の飯米への加熱は、鍋器体内部の水が加熱されることによって、加熱水が炊飯器体底面部の通孔から炊飯器体の内部に入り、飯米を収容した炊飯器体内で発生する蒸気を対流循環せしめることによって行うようになる。これにより炊飯器体内の飯米は電磁波の影響を直接受けることはないし、よく炊きこまれた美味な米飯を得ることができるようになる。
【００１０】
このような効果は、外部は合成樹脂製の鍋器体と外蓋体を、内部はアルミニウム等の金属材製の炊飯器体と内蓋体をそれぞれ構成し、素材の異なる各部材を使用することによって達成することができるのであり、各部材のこのような組み合わせによる電子レンジ用の調理器を提供することを本発明は特徴とする。
【図面の簡単な説明】
【００１１】
【図１】本発明を構成する各部材の斜視図
【図２】各部材の全部を収容したときの全体の斜視図
【図３】炊飯器使用時の全体の一部切欠正面図
【図４】図３Ａ−Ａ線の縦断面図
【図５】蒸し器使用時の全体の一部切欠正面図
【図６】図５Ｂ−Ｂ線の縦断面図
【図７】椀器体及び計量カップの斜視図
【発明を実施するための形態】
【００１２】
第１に、本器を炊飯器として使用するときは、図１において示した全部材の中から、鍋器体１，炊飯器体７及び内蓋体１６付き外蓋体２２の四部材を使用するが、まず鍋器体１内に炊飯器体７を収容する。この炊飯器体内には飯米を必要分量入れた後、適量の給水をする。この時、水量は鍋器体の底面部４及び周面部２と炊飯器体の底面部及び周面部間には、底面部の通孔８から米量の上面を超えた位置に水位が保たれる。
【００１３】
このような状態にした炊飯器体の上面部に、内側に内蓋体１６を連設した外蓋体２２を載置した後、鍋器体１の左右の留め子６，６を外蓋体の左右の突板２４，２４に掛け留めて器全体を密着状態にする。このとき、内外両蓋体の蒸気抜き孔１９，２７は孔管２０によって連通する。（図３参照）
【００１４】
このような状態の本器体を電子レンジ内の支板上に載置し、スイッチを入れる。米量にもよるが、所定時間経過すると、鍋器体内の水は電磁波による加熱によって湯気を発生し、それが炊飯器体の内部では蒸気となって循環流を起し、この蒸気の循環流によって水分を飯米に十分吸収させることになり、米飯が炊き上がるようになる。
【００１５】
電子レンジの電磁波は、アルミニウム等の金属製の炊飯器体７及び内蓋体１６を、合成樹脂製の鍋器体１及び外蓋体２２に密着状態にすることによって、前記炊飯器体内部への影響が遮断されるから、炊き上がり後の米飯は乾燥せず、固化もしない。
【００１６】
第２に、本器を蒸し器として使用するときは、図１における全部材の中から、鍋器体１，炊飯器体７，蒸し器体１２及び内蓋体１６付き外蓋体２２の五部材を使用する。
【００１７】
このような状態に蒸し器体１２の上面部に、内蓋体１６を連設した外蓋体２２を被套し、鍋器体１の留め子６，６を外蓋体の左右の突板２４，２４に掛け留めて器体全体を密着状態にする。（図５，図６参照）
【００１８】
このような状態の鍋器体１内部の蒸し器体１２内に任意の食材を収容した後、鍋器体を含む本器を電子レンジの支板上に載置し、スイッチを入れ、所定時間電磁波によって加熱する。このとき、所定の水は蒸し器体の底面部以下の水位にする。これによって、所定時間経過すると、水は電磁波による加熱によって鍋器体底部において湯気から蒸気を発生し、通孔８・・を通じて炊飯器体７の内部に循環流を起すから、蒸し器体の内部において食材を蒸し上げるようになる。
【００１９】
第３に、お粥を作るときは、炊飯器体と蒸し器体とに代えて椀器体２９を鍋器体１内部に収容し、計量カップによって適量の米と水を入れて行えばよい。
【実施例】
【００２０】
１は合成樹脂製の鍋器体で、この鍋器体は周面部２とこの周面部につづく底段部３と底面部４とから形成する。
【００２１】
５，５は前記鍋器体１の周面部２の上端左右両側面部に突設した突出板で、この突出板の外側部には両端部を突出板５，５に枢着６’，６’した留め子６，６を水平位及び上方位に回動し得るように設ける。
【００２２】
７は底面部７’に多数の通孔８・・を設けたアルミニウム等金属材製の炊飯器体で、この炊飯器体の上周縁部９は段部１０に成り、この段部の下端部は前記鍋器体１の内周縁部１１に載置し得るようになる。
【００２３】
この炊飯器体７においては、赤飯や茶碗蒸し，蒸しパン，ふかし芋，温野菜，ゆで卵，焼売，餃子などの調理を行う。
【００２４】
１２は前記炊飯器体７の内部に収容する合成樹脂製の蒸し器体で、この蒸し器体は周面部に多数の縦孔１３・・を設け、底面部に多数の横孔１４・・を設けている。
【００２５】
１２’は前記蒸し器体１２の底面部裏側に設けた脚部で、蒸し器体を前記炊飯器体７の底面部７’に載置したとき、この脚部を介して空間部が形成されるようになる。
【００２６】
１５，１５は前記蒸し器体１２の左右両側部に設けた持ち上げ下げのための指掛孔である。
【００２７】
１６は前記炊飯器体７又は蒸し器体１２の上面部に被套するアルミニウム等金属材製の内蓋体で、この内蓋体の周縁部１７の曲折段部１８は、前記炊飯器体７の周縁部の段部１０上に載置するようになる。
【００２８】
１９は前記内蓋体１６の適所に設けた蒸気抜き孔で、この蒸気抜き孔には後記外蓋体２２の蒸気抜き孔２７に連通する孔管２０を設けている。
【００２９】
２２は前記内蓋体１６の上方外部に被嵌する合成樹脂製の外蓋体で、この外蓋体の周囲部２３の上端左右両側面部に突板２４，２４を設け、この突板には前記鍋器体１の突出板５，５に枢着した留め子６，６が上方回動時に掛け留まるようになる。
【００３０】
２５は前記外蓋体２２上の中央部２６の左右両側部に両端部を枢着して回動し得るように設けた把手で、前記外蓋体の適所には蒸気抜き孔２７を設け、この蒸気抜き孔は前記内蓋体１６の蒸気抜き孔１９に連通するようになる。
【００３１】
２８は外蓋体の適所に設けた水抜き孔で、内蓋体と外蓋体との空間部に発生した水を抜くためのものである。
【００３２】
２９は前記炊飯器体７に代えて収容する合成樹脂製の椀器体で、この椀器体の開口両側部には把手３０，３０を設けている。この椀器体はお粥を作るために使用するもので、その米や水の量を測定するための計量カップ３１を用意するとよい。
【符号の説明】
【００３３】
１                    鍋器体
２                    周面部
３                    底段部
４                    底面部
５，５                突出板
６，６                留め子
７                    炊飯器体
７’                  底面部
８・・                通孔
９                    上周縁部
１０                  段部
１１                  内周縁部
１２                  蒸し器体
１２’                脚部
１３・・              縦孔
１４・・              横孔
１５，１５            指掛孔
１６                  内蓋体
１７                  周縁部
１８                  曲折段部
１９                  蒸気抜き孔
２０                  孔管
２２                  外蓋体
２３                  周囲部
２４，２４            突板
２５                  把手
２６                  中央部
２７                  蒸気抜き孔
２８                  水抜き孔
２９                  椀器体
３０，３０            把手
３１                  計量カップ
【図１】
2011255158.tif 000003
【図２】
2011255158.tif 000004
【図３】
2011255158.tif 000005
【図４】
2011255158.tif 000006
【図５】
2011255158.tif 000007
【図６】
2011255158.tif 000008
【図７】
2011255158.tif 000009